(57)【要約】  モバイル通信を実現するための装置は、送信器と、受信器と、送受切換器と、アンテナと、端末から基地局へ送られる受信器によって受信されるデータを処理し且つ処理されたデータを送信器へ送るアップリンクデータ処理モジュールと、基地局から端末へ送られる受信器によって受信されるデータを処理し且つ処理されたデータを送信器へ送るダウンリンクデータ処理モジュールであって、送信器および受信器をアップリンクデータ処理モジュールと時分割共有するダウンリンクデータ処理モジュールと、送信器、受信器、アップリンクデータ処理モジュール、ダウンリンクデータ処理モジュールに対する制御機能を達成するための制御プロセッサと、を含む。モバイル通信を実現するためのシステムは、基地局と、中継局と、端末と、を含む。モバイル通信を実現するための方法は、端末と基地局との間で中継局によりデータを転送する。
2009535868.tif 000002
【特許請求の範囲】
【請求項１】
送信器と、受信器と、送受切替器と、アンテナと、を備え、送受切替器がアンテナと接続され、送信器および受信器が送受切替器と接続される、モバイル通信を実施する装置であって、
端末から基地局へ送信されて前記受信器によって受信されるデータを処理するとともに、処理されたデータを前記送信器へ送信するように構成されたアップリンクデータ処理モジュールと、
前記基地局から前記端末へ送信されて前記受信器によって受信されたデータを処理するとともに、処理されたデータを前記送信器へ送信するように構成され、前記送信器および前記受信器を前記アップリンクデータ処理モジュールと時分割態様で共有するダウンリンクデータ処理モジュールと、
前記送信器、前記受信器、前記アップリンクデータ処理モジュール、前記ダウンリンクデータ処理モジュールを制御するように構成された制御プロセッサと、
を更に備える装置。
【請求項２】
前記アップリンクデータ処理モジュールは、
前記制御プロセッサの制御下で、前記端末から前記基地局へ送信されたベースバンド信号を復調し、デシンボルマッピングし、デインターリービングし、および、チャンネルデコーディングすることによって、エンコードされていないオリジナル情報データを取得するように構成されたアップリンクデコーディングユニットと、
前記端末から送信され且つ前記アップリンクデコーディングユニットによって処理されるオリジナル情報データをバッファリングするように構成されたアップリンクデータバッファリングユニットと、
前記制御プロセッサの制御下で、前記端末から送信され且つ前記アップリンクデコーディングユニットによって処理されるオリジナル情報データの信号品質を測定するように構成されたアップリンク品質測定ユニットと、
前記制御プロセッサの制御下で、前記アップリンクデータバッファリングユニットにおけるオリジナル情報データをチャンネルエンコードし、インタリーブし、シンボルマッピングし、および、変調するように構成されたアップリンクエンコーディングユニットと
を更に備える請求項１に記載のモバイル通信を実施する装置。
【請求項３】
前記ダウンリンクデータ処理モジュールは、
前記制御プロセッサの制御下で、前記基地局から前記端末へ送信されたベースバンド信号を復調し、デシンボルマッピングし、デインターリービングし、および、チャンネルデコーディングすることによって、エンコードされていないオリジナル情報データを取得するように構成されたダウンリンクデコーディングユニットと、
前記基地局から送信され且つ前記ダウンリンクデコーディングユニットによって処理されるオリジナル情報データをバッファリングするように構成されたダウンリンクデータバッファリングユニットと、
前記基地局から送信され且つ前記ダウンリンクデコーディングユニットによって処理されたオリジナル情報データから基地局コマンドを抽出するとともに、当該コマンドを前記制御プロセッサへ送信するように構成された基地局コマンド抽出ユニットと、
前記制御プロセッサの制御下で、前記ダウンリンクデータバッファリングユニットにおけるオリジナルデータ情報をチャンネルエンコードし、インタリーブし、シンボルマッピングし、および、変調するように構成されたダウンリンクエンコーディングユニットと、
を更に備える請求項１または請求項２に記載のモバイル通信を実施する装置。
【請求項４】
モバイル通信を実施するシステムであって、
中継局を介して基地局へデータを送信するとともに、基地局から中継局を介してデータを受信するように構成された端末と、
前記端末と前記基地局との間でデータを転送するように構成された中継局と、
前記中継局を介して前記端末へデータを送信するとともに、前記端末から前記中継局を介してデータを受信するように構成された基地局と、
を備えるシステム。
【請求項５】
前記中継局は、送信器と、受信器と、送受切替器と、アンテナと、を備え、
前記中継局は、アップリンクデータ処理モジュールと、ダウンリンクデータ処理モジュールと、制御プロセッサと、を更に備える、
請求項４に記載のシステム。
【請求項６】
前記基地局が基地局フレーム構造のデータを中継局へ送信し、
前記中継局が中継局フレーム構造のデータを前記基地局および前記端末へ送信する、
請求項４または請求項５に記載のシステム。
【請求項７】
前記中継局および前記基地局が同じ時間−周波数リソースを直交多重化し、
１つの中継局が１つ以上の接続を管理し、
各接続が接続識別子によって区別される、
請求項４または請求項５に記載のシステム。
【請求項８】
基地局と端末との間に中継局を配置し、
基地局フレーム構造と中継局フレーム構造とを設定する、
モバイル通信を実施する方法であって、
ネットワークにアクセスした後、前記中継局によって中継機能をイネーブルにし、
前記中継局により、前記端末と前記基地局との間でデータを転送する、
ことを更に含む方法。
【請求項９】
基地局フレーム構造と中継局フレーム構造とを設定することは、
基地局フレームを設定し、
中継局フレームを設定する、
ことを含み、
基地局フレームを設定することは、基地局ダウンリンクサブフレームと基地局アップリンクサブフレームとを設定することを含み、
前記基地局ダウンリンクサブフレームがダウンリンク端末サブフレームとダウンリンク中継サブフレームとを備え、
前記基地局アップリンクサブフレームがアップリンク端末サブフレームとアップリンク中継サブフレームとを備え、
中継局フレームを設定することは、ダウンリンク端末サブフレームと、ダウンリンク中継サブフレームと、アップリンク端末サブフレームと、アップリンク中継サブフレームとを設定することを含む、
請求項８に記載のモバイル通信を実施する方法。
【請求項１０】
前記基地局アップリンクサブフレームにおける前記アップリンク端末サブフレームは、時間的に前記アップリンク中継サブフレームの前または後に配置される請求項９に記載のモバイル通信を実施する方法。
【請求項１１】
前記基地局ダウンリンクサブフレームにおける前記ダウンリンク中継サブフレームのフレームヘッダは、前記中継局と前記基地局との間の同期化のためのプリアンブルシーケンスを備え、または、
前記基地局ダウンリンクサブフレームにおける前記ダウンリンク中継サブフレームのフレームヘッダは、プリアンブルシーケンスを備えていない、
請求項９に記載のモバイル通信を実施する方法。
【請求項１２】
前記ダウンリンク中継サブフレームが周波数帯域の全部または一部を占める請求項９に記載のモバイル通信を実施する方法。
【請求項１３】
異なる送信側において、前記ダウンリンク端末サブフレームにおけるトラフィックバーストは時間的に時差がある請求項９に記載のモバイル通信を実施する方法。
【請求項１４】
前記基地局ダウンリンクサブフレームは、フレームヘッダを送信する中継局およびフレームヘッダを送信しない中継局のそれぞれに対してデータを送信するため、時間的に２つの区間に分けられる請求項９に記載のモバイル通信を実施する方法。
【請求項１５】
前記中継局および前記基地局が同じ時間−周波数リソースを直交多重化し、各中継局が１つ以上の接続を管理し、各接続が接続識別子によって区別される請求項８に記載のモバイル通信を実施する方法。
【請求項１６】
１つの接続が１つ以上の中継局によって管理され、
各中継局は、中継局によって管理される接続のための接続識別子バインディングテーブルを維持するとともに、維持された接続識別子バインディングテーブルにしたがって中継局によって管理される接続に対応するデータを転送する、
請求項１５に記載のモバイル通信を実施する方法。
【請求項１７】
中継局によって中継機能をイネーブルにすることは、
ａ１．中継局によってネットワークにアクセスするとともに、端末として動作し、端末のフレーム構造と同じフレーム構造が適用され
ａ２．基地局への中継機能をイネーブルにするように中継局によって要求し、
ａ３．前記要求が基地局によって認められるかどうかを中継局によって決定する、
ことを含み、
前記要求が基地局によって認められる場合には、基地局へ応答を戻して、中継機構をイネーブルにし、
前記要求が基地局によって認められない場合には、ステップａ１へ戻る、
請求項８、１５または１６に記載のモバイル通信を実施する方法。
【請求項１８】
前記中継局により前記端末と前記基地局との間でデータを転送することは、
ｂ１１．前記基地局からのデータをダウンリンク中継サブフレームを介して中継局の受信器によって受信するとともに、受信されたデータをデコードして、基地局から中継局へ送信される制御コマンドと基地局から中継局を介して端末へ送信されるダウンリンクデータとを備えるオリジナルデータを取得し、
ｂ１２．取得された前記オリジナルデータから制御コマンドを中継局によって抽出するとともに、取得された前記オリジナルデータ内に含まれるダウンリンクデータを中継局によって記憶し、
ｂ１３．ｂ１２におけるダウンリンクデータを中継局によってエンコードするとともに、エンコードされたダウンリンクデータを中継局の送信器によりダウンリンク端末サブフレームで端末へ送信する、
ことを含む請求項８、９、１５または１６に記載のモバイル通信を実施する方法。
【請求項１９】
前記中継局により前記端末と前記基地局との間でデータを転送することは、
ｂ２１．前記端末からのデータをアップリンク端末サブフレームを介して中継局の受信器によって受信するとともに、受信されたデータをデコードして、端末から基地局へ送信されるアップリンクデータを備えるオリジナルデータを取得し、
ｂ２２．取得された前記オリジナルデータ内に含まれるアップリンクデータを中継局によって記憶し、
ｂ２３．ｂ２２におけるアップリンクデータを中継局によってエンコードするとともに、エンコードされたアップリンクデータを中継局の送信器によりアップリンク中継サブフレームで基地局へ送信する、
ことを含む請求項８、９、１５または１６に記載のモバイル通信を実施する方法。
【発明の詳細な説明】
【技術分野】
【０００１】
本発明は、無線通信技術に関し、特に、モバイル通信を実施する装置、システムおよび方法に関する。
【背景技術】
【０００２】
無線通信に対する需要が増大するにつれて、広帯域無線アクセス（ＢＷＡ）技術が徐々に現在の通信技術の焦点のうちの１つになってきている。直交周波数分割多重アクセス（ＯＦＤＭＡ）方式は、その固有の利点により、益々広い帯域の無線アクセス規格によって適用される。例えば、ＯＦＤＭＡは、ＩＥＥＥ８０２．１６プロトコルに基づくマイクロ波アクセスにおける国際的相互運用性（ＷｉＭＡＸ）システムにおける多重化アクセス方法のうちの１つとして使用される。
【０００３】
ＷｉＭＡＸシステムのエアインタフェースはＩＥＥＥ８０２．１６規格を適用する。基地局フレームのＩＥＥＥ８０２．１６規格で規定される構造および時分割デュプレックス（ＴＤＤ）モード下でＯＦＤＭＡを使用する対応する端末フレームが図１および図２に示されている。図１は基地局フレームの構造であり、図２は端末フレームの構造である。基地局フレームは、ダウンリンクデータを送信するためのダウンリンクサブフレームと、アップリンクデータを受信するためのアップリンクサブフレームと、を含んでいる。ＴＴＧは、基地局が送信状態から受信状態へ移行するための時間区間であり、ＲＴＧは、基地局が受信状態から送信状態へ移行するための時間区間である。ＳＳＲＴＧは、端末が受信状態から送信状態へ移行するための時間区間であり、ＳＳＴＴＧは、端末が送信状態から受信状態へ移行するための時間区間である。論理サブチャンネル数とは論理的に順序付けられたサブチャンネル数のことであり、１つのサブチャンネルが幾つかのサブキャリアを含んでいる。トラフィックバーストは、同じエンコーディング変調を使用するトラフィックデータのことである。フレームヘッダは、プリアンブルと、時間−周波数リソース割り当て情報とを含んでいる。プリアンブルは、端末と基地局との間の時間−周波数同期化のために設定され、また、時間−周波数リソース割り当て情報は、ダウンリンクサブフレームおよびアップリンクサブフレームにおけるユーザデータの時間−周波数リソース位置を表わしており、これにより、端末は、それがどのダウンリンクトラフィックバーストからデータを受信するべきかを知ることができるとともに、どのアップリンクトラフィックバーストを介してそれ自体のデータを送信すべきかを知ることができる。アクセスサブチャンネルは、端末が無作為にネットワークにアクセスするように設定され、また、基地局は、アクセスサブチャンネルを監視することによって、端末からアクセス要求を取得する。
【０００４】
しかしながら、ＷｉＭＡＸシステムでは、高周波送信に起因して、電磁波が厳しい損失を受けるため、システムのカバレッジエリアが小さい。また、ネットワーキングの初期段階ではユーザが少ないため、システムのカバレッジエリア内の時間−周波数リソースは、低負荷の状態下で十分に使用されない傾向がある。
【発明の開示】
【発明が解決しようとする課題】
【０００５】
本発明の一実施形態の主目的は、モバイル通信を実施する装置であって、基地局のカバレッジエリアを広げてシステムのネットワーキングにおけるコストを低減する装置を提供することである。
【０００６】
本発明の一実施形態の他の目的は、モバイル通信を実施する方法であって、基地局から離れた端末が端末の近傍の中継局を介してアクセスできるようにする方法を提供することである。
【０００７】
本発明の一実施形態の第３の目的は、モバイル通信を実施するシステムであって、基地局と端末との間で中継局によりデータを転送するシステムを提供することである。
【課題を解決するための手段】
【０００８】
前記主目的を達成するため、本発明の一実施形態は、モバイル通信を実施する装置を提供する。装置は、送信器と、受信器と、送受切替器と、アンテナと、を含んでいる。送受切替器はアンテナと接続され、送信器および受信器は送受切替器と接続される。装置は、端末から基地局へ送信されて前記受信器によって受信されるデータを処理するとともに、処理されたデータを前記送信器へ送信するように構成されたアップリンクデータ処理モジュールと、前記基地局から前記端末へ送信されて前記受信器によって受信されたデータを処理するとともに、処理されたデータを前記送信器へ送信するように構成され、前記送信器および前記受信器を前記アップリンクデータ処理モジュールと時分割態様で共有するダウンリンクデータ処理モジュールと、前記送信器、前記受信器、前記アップリンクデータ処理モジュール、前記ダウンリンクデータ処理モジュールを制御するように構成された制御プロセッサと、を更に含む。
【０００９】
前記目的を達成するため、本発明の一実施形態は、モバイル通信を実施する方法であって、基地局と端末との間に中継局を配置し、基地局フレーム構造と中継局フレーム構造とを設定する、方法を提供する。方法は、ネットワークにアクセスした後、前記中継局によって中継機能をイネーブルにし、前記中継局により、前記端末と前記基地局との間でデータを転送する。
【００１０】
第３の目的を達成するため、本発明の一実施形態は、モバイル通信を実施するシステムを更に提供する。システムは、中継局を介して基地局へデータを送信するとともに、基地局から中継局を介してデータを受信するように構成された端末と、前記端末と前記基地局との間でデータを転送するように構成された中継局と、前記中継局を介して前記端末へデータを送信するとともに、前記端末から前記中継局を介してデータを受信するように構成された基地局と、を含む。
【００１１】
本発明の実施形態で提供される装置および方法によれば、中継局をＷｉＭＡＸシステムに導入し、現在のプロトコルの基地局フレーム構造を変更し、中継サブフレーム構造を設計することにより、基地局のカバレッジエリア内の端末の通信速度が高められるとともに、基地局のカバレッジエリアの外側の端末にもサービスを提供することができ、これにより、基地局のカバレッジエリアが大きく拡張されるとともに、ネットワーキングの早い段階で基地局の数が減少され、スペクトル利用が向上される。また、中継局に近いが基地局から遠い端末において、中継局を介した送信は、端末の送受信電力を減少させることができ、したがって、バッテリ消費が節約され、端末のバッテリの寿命が効果的に延びる。
【発明を実施するための最良の形態】
【００１２】
図３は、実線がデータの流れを表わし、破線が制御の流れを表わす本発明の実施形態に係る中継局の概略構造図である。装置は、送信器３と、受信器４と、送受切替器２と、アンテナ１とを含んでいる。送受切替器２がアンテナ１と接続され、また、送信器３および受信器４が送受切替器２と接続される。アンテナ１および送受切替器２はいずれも従来型のものである。すなわち、従来のアンテナおよびトランシーバは、１つのアンテナを用いて送受信機能を果たすことができる。受信器４は、無線周波数信号をベースバンドデジタル信号へ変換し、送信器３は、ベースバンドデジタル信号を無線周波数信号へ変換する。
【００１３】
具体的には、装置は、端末から送信され且つ受信器４によって受信されるデータを処理するとともに処理されたデータを送信器３によって基地局へ送信するように構成されたアップリンクデータ処理モジュール５と、基地局から送信され且つ受信器４によって受信されたデータを処理するとともに処理されたデータを送信器３によって端末へ送信するように構成されたダウンリンクデータ処理モジュール６と、制御プロセッサ７とを更に含んでおり、ダウンリンクデータ処理モジュールは、送信器および受信器をアップリンクデータ処理モジュール５と時分割態様で共有し、アップリンクデータ処理モジュールとダウンリンクデータ処理モジュールとの間の切り換えは制御プロセッサ７によって制御され、制御プロセッサ７は、送信器３と、受信器４と、アップリンクデータ処理モジュール５と、ダウンリンクデータ処理モジュール６との間のデータのやりとりを制御するように構成されている。
【００１４】
アップリンクデータ処理モジュール５は、制御プロセッサ７の制御下で、端末から基地局へ送信され且つ受信器４によって受信されたベースバンド信号をＯＦＤＭ復調し、デシンボルマッピングし、デインターリービングし、および、チャンネルデコーディングすることによってエンコードされていないオリジナル情報データを取得するように構成されたアップリンクデコーディングユニット８と、端末から基地局へ送信され且つアップリンクデコーディングユニット８によって処理されるデータをバッファリングするように構成されたアップリンクデータバッファリングユニット９と、制御プロセッサ７の制御下で、アップリンクデコーディングユニット８によって処理されるユーザアップリンク信号の品質を測定するように構成されたアップリンク品質測定ユニット１０であって、信号品質パラメータが、アップリンク信号の受信電力、信号対雑音比（ＳＮＲ）、信号対干渉雑音比（ＳＩＮＲ）、ビット誤り率（ＢＥＲ）、および、パケット誤り率（ＰＥＲ）であっても良く、測定されるべきパラメータが制御プロセッサ７によって制御されるアップリンク品質測定ユニット１０と、制御プロセッサ７の制御下で、アップリンクデータバッファリングユニット９におけるオリジナルデータ情報をチャンネルエンコードし、インタリーブし、シンボルマッピングし、および、ＯＦＤＭ変調するとともに処理されたデータを送信器３へ送信するように構成されたアップリンクエンコーディングユニット１１とを更に含んでいる。
【００１５】
ダウンリンクデータ処理モジュール６は、制御プロセッサ７の制御下で、基地局から端末へ送信され且つ受信器４によって受信されたベースバンド信号をＯＦＤＭ復調し、デシンボルマッピングし、デインターリービングし、および、チャンネルデコーディングすることによってエンコードされていないオリジナル情報データを取得するように構成されたダウンリンクデコーディングユニット１２と、基地局から端末へ送信され且つダウンリンクデコーディングユニット１２によって処理されるデータをバッファリングするように構成されたダウンリンクデータバッファリングユニット１４と、ダウンリンクデコーディングユニット１２によって処理されたデータから基地局コマンドを抽出し且つ制御プロセッサ７を介して他のユニットを制御するように構成された基地局コマンド抽出ユニット１３と、制御プロセッサ７の制御下で、ダウンリンクデータバッファリングユニット１４におけるオリジナルデータ情報をチャンネルエンコードし、インタリーブし、シンボルマッピングし、および、ＯＦＤＭ変調するとともに処理されたデータを送信器３へ送信するように構成されたダウンリンクエンコーディングユニット１５とを更に含んでいる。
【００１６】
オリジナル信号を増幅して転送するだけの従来の中継局とは異なり、本発明の一実施形態に係る中継局は、オリジナル信号を再デコードし且つ再エンコードすることができるとともに、基地局のカバレッジエリアの外側の端末にサービスを提供することができ、したがって、ＳＮＲが著しく向上し、これにより、正のフィードバックが回避されて、従来の中継局で起こる自己励磁現象が克服される。
【００１７】
本発明の一実施形態において、基地局と中継局との間のリンクは仮想接続と見なされ、仮想接続は指向性を有する。すなわち、アップリンクにおける接続とダウンリンクにおける接続とは異なる。各接続は接続識別子（ＣＩＤ）によって区別されても良く、また、異なる接続は異なる接続識別子を有する。この場合、接続識別子は基地局によって集権化されて割り当てられる。基地局と端末との間の接続の確立中、基地局は、対応する接続識別子を端末に知らせる。基地局は、データフレームのフレームヘッダにおける時間−周波数リソースと接続識別子との間の対応する関係を、それ自体のカバレッジエリア内の全ての端末に対して送信する。端末は、接続識別子と時間−周波数リソースとの間の対応する関係を認識した後、それ自体のデータを基地局のダウンリンクトラフィックフレームから抽出するとともに、それ自体のデータをアップリンクトラフィックフレームで送信しても良い。
【００１８】
本発明の一実施形態において、基地局は、中継局のためのバインディングテーブルと、アップリンクおよびダウンリンクのそれぞれのための接続識別子とを維持し、また、テーブルの各項目は、対応する中継局によって管理される接続を表わすように設定されている。テーブルの構造が図４に示されている。図中、ＣＩＤＮは接続識別子である。１つの中継局が複数の接続を管理しても良く、また、１つの接続が複数の中継局によって管理されても良い。また、中継局は、それ自体によって管理される端末のための接続識別子テーブルを維持し、また、基地局の接続識別子バインディングテーブルおよび接続識別子テーブルの対応する項目は完全に一致している。不必要な消費を省くため、各中継局は、それ自体によって管理される端末の接続識別子を維持するが、他の中継局によって管理される端末の接続識別子を維持しない。接続を加え或いは切断するなど、基地局が特定の中継局によって管理される接続を変えることを決定すると、基地局は、中継局の確認を得た後、中継局のバインディングテーブルを修正して基地局自体のバインディングテーブルを更新することを中継局に知らせる。中継局は、バインディングテーブルを用いて、どのデータが基地局から受信されるべきかを知るとともに、どの端末からデータを受信するべきかを知る。本発明の実施形態において、接続識別子バインディングテーブルの各項目は、中継局と中継局によって管理される全ての端末の他の識別子との間の対応する関係であっても良い。この場合、他の識別子は、例えば端末のＭＡＣアドレスなど、端末を独自に識別する任意の識別子であっても良い。
【００１９】
本発明の一実施形態に係る中継局を用いると、基地局は、そのカバレッジエリア内の端末にサービスを提供することに加えて、中継局を介してそのカバレッジエリアの外側の端末にサービスを提供することができる。基地局にとっては、中継局が端末に相当し、また、端末にとっては、中継局が基地局に相当する。１つのエリアには、１つの基地局と複数の中継局とが存在する。この場合、基地局および中継局は、同じ時間−周波数リソースを直交多重化しても良く、また、許容干渉範囲内である限り同じ時間−周波数リソースを非直交多重化しても良い。
【００２０】
図５〜図７は、本発明の一実施形態に係る中継局とのモバイル通信を実施する方法のフローチャートである。具体的には、方法は以下のステップを実行する。
【００２１】
ステップ１０１：電源ＯＮの後、中継局は、端末としてネットワークにアクセスするとともに、端末のフレーム構造と同じフレーム構造を適用する。
【００２２】
ステップ１０２：中継局は、基地局への中継機能をイネーブルにするように要求するための要求メッセージを送信する。
【００２３】
ステップ１０３：中継局は、要求が基地局によって認められるかどうかを決定し、要求が基地局によって認められる場合には、応答を基地局へ戻して、中継機能をイネーブルにし、そうでなければ、ステップ１０２へ移行する。
【００２４】
中継機能をイネーブルにした後、データを基地局から端末へ転送する間、中継局は以下のステップ１０４〜ステップ１０６を実行する。
【００２５】
ステップ１０４：中継局の受信器は、ダウンリンク中継サブフレームを介して基地局からデータを受信し、また、中継局のダウンリンクデコーディングユニットは、受信されたデータをデコードして、基地局から中継局へ送信される制御コマンドと基地局から中継局を介して端末へ送信されるダウンリンクデータとを含むオリジナルデータを取得する。
【００２６】
ステップ１０５：中継局の基地局コマンド抽出ユニットは、受信されたデータからコマンドを抽出し、また、中継局のダウンリンクデータバッファリングユニットは、ダウンリンクデータを記憶する。
【００２７】
ステップ１０６：中継局のダウンリンクエンコーディングユニットは、ダウンリンクデータをエンコードして、エンコードされたダウンリンクデータを中継局の送信器を介して端末へ送信する。
【００２８】
端末から基地局へデータを転送する間、中継局は、以下のステップ１０７〜ステップ１０９を実行する。
【００２９】
ステップ１０７：中継局の受信器は、端末からアップリンク端末サブフレームを介してデータを受信し、また、中継局のアップリンクデコーディングユニットは、受信されたデータをデコードして、端末から基地局へ送信されるアップリンクデータを含むオリジナルデータを取得する。
【００３０】
ステップ１０８：中継局のアップリンクデータバッファリングユニットは、アップリンクデータを記憶する。
【００３１】
ステップ１０９：中継局のアップリンクエンコーディングユニットは、アップリンクデータをエンコードするとともに、エンコードされたアップリンクデータを送信器を介してアップリンク中継サブフレームで基地局へ送信する。
【００３２】
ステップ１０１〜１０３は中継局をイネーブルにするためのステップであり、ステップ１０４〜１０６は、中継局がデータを基地局から端末へ転送するためのステップであり、ステップ１０７〜１０９は、中継局がデータを端末から基地局へ転送するためのステップである。
【００３３】
前記手続き中、中継局が中継機能をイネーブルにした後、適用されるフレーム構造は、従来の端末フレーム構造から図７に示される中継局フレーム構造へ切り換えられる。その後、中継局は、ダウンリンク中継サブフレームおよびアップリンク中継サブフレームのための時間−周波数リソース割り当て情報を中継フレームヘッダから取得しても良い。次のフレームにおいて、中継局は、最終ダウンリンク中継サブフレームで基地局から受信された情報にしたがってフレームヘッダを構成して送信するとともに、アクセスサブチャンネルから端末のアクセス要求を受けることを含め、アップリンク端末サブフレームで端末からデータを受信しても良い。更に、中継局は、中継局の複雑さを減少させるためにフレームヘッダを送信しなくても良い。
【００３４】
本発明の一実施形態に係る中継局に起因して、現在の基地局フレーム構造を修正する必要があるとともに、中継局フレーム構造を規定する必要がある。特定の基地局フレーム構造および中継局フレーム構造が異なる構成を成していても良く、これについては、実施形態および図面を参照して以下で詳しく説明する。
【００３５】
本発明の１つの実施形態では、本発明の一実施形態に係る基本的な基地局フレーム構造が図８に示されており、中継局フレーム構造が図９に示されている。ＲＳＴＴＧは、中継局が送信状態から受信状態へ移行する時間を表わしており、また、ＲＳＲＴＧは、中継局が受信状態から送信状態へ移行する時間を表わしている。基地局フレームは、基地局アップリンクサブフレームと基地局ダウンリンクサブフレームとを含んでいる。基地局ダウンリンクサブフレームは２つのセクションに更に分けられる。１つのセクションは、基地局がそのカバレッジエリア内の端末にサービスを提供するように構成されるダウンリンク端末サブフレームとして知られており、また、他のセクションは、中継局にサービスを提供するように構成されるダウンリンク中継サブフレームとして知られている。同様に、基地局アップリンクサブフレームも２つのセクションに更に分けられる。１つのセクションは、基地局のカバレッジエリア内の端末にサービスを提供するように構成されるアップリンク端末サブフレームとして知られており、また、他のセクションは、中継局にサービスを提供するように構成されるアップリンク中継サブフレームとして知られている。フレームヘッダのコンフィギュレーション情報では、ダウンリンク中継サブフレームおよびアップリンク中継サブフレームの時間−周波数リソースが任意の端末において割り当てられないため、端末は、常に、それ自体に属するデータがこれらの２つのセクションに存在しないと見なす。すなわち、その端末に関して、ダウンリンク中継サブフレームおよびアップリンク中継サブフレームは完全にトランスペアレントである。一般に、基地局ダウンリンクサブフレームおよび基地局アップリンクサブフレームのフレーム長は相対的に固定されている。すなわち、これらの２つのパラメータが設定されると、基地局の動作中にこれらのパラメータは変更されない。本発明の実施形態において、基地局ダウンリンクサブフレームおよび基地局アップリンクサブフレームのフレーム長が変わらなかった場合には、トラフィック状態にしたがって、ダウンリンク端末サブフレームおよびダウンリンク中継サブフレームのフレーム長、アップリンク端末サブフレームおよびアップリンク中継サブフレームのフレーム長、および、アップリンク中継サブフレームおよびダウンリンク中継サブフレームによって占められるサブチャンネルリソースに対して動的な調整が行なわれても良く、それにより、時間−周波数リソースのより柔軟性のあるコンフィギュレーションおよび利用が可能になる。基地局のダウンリンクトラフィックバーストおよびアップリンクトラフィックバースト、および、中継局のダウンリンクトラフィックバーストおよびアップリンクトラフィックバーストの割り当ては、従来技術と完全に一致する。中継局のダウンリンクトラフィックバーストおよびアップリンクトラフィックバーストは、全て基地局によって割り当てられて、ダウンリンク中継バーストデータを介して中継局に知らされるが、中継局は、それ自体によってトラフィックバーストの時間−周波数リソースを割り当てることができない。
【００３６】
基地局フレーム構造のダウンリンク中継サブフレームは、中継フレームヘッダとダウンリンク中継バーストデータとを含む。中継フレームヘッダはアップリンクおよびダウンリンク中継サブフレームのための時間−周波数リソース割り当て情報であり、これにしたがって、中継局は、ダウンリンク中継バーストデータを受信するとともに、アップリンク中継バーストデータを送信する。これは、従来の基地局フレームのそれと同様である。ダウンリンク中継バーストデータは、基地局から全ての中継局へ送信されるブロードキャスト情報であっても良く、また、特定の中継局へ送信されるトラフィックデータであっても良い。ブロードキャスト情報は次のフレームのフレームヘッダ情報を含んでおり、これにしたがって、中継局は、次のフレームのフレームヘッダを再構成しても良く、また、フレームヘッダが基地局のフレームヘッダと一致するようにしても良い。次のフレームのフレームヘッダ情報にしたがって、中継局は、ダウンリンク端末サブフレームおよびアップリンク端末サブリンクのトラフィックバーストのための割り当て条件を知っていても良い。それに応じて、中継局は、その接続識別子バインディングテーブルにしたがって、それがどの端末に対してデータをダウンリンク端末サブフレームで転送するべきか及びそれがどの端末からデータをアップリンク端末サブフレームで受信すべきかを知っていても良い。
【００３７】
基地局フレーム構造に応じて、中継局フレーム構造のダウンリンク端末サブフレームは、基地局のカバレッジエリアの外側の端末にサービスを提供するために基地局から端末へデータを転送するように構成される。この場合、データは、中継局によってそのダウンリンクデータバッファから抽出される。端末は、当初の同期化を実行するとともに、時間−周波数リソース割り当て情報をフレームヘッダから取得するため、中継局フレームヘッダで送信される情報は、基地局フレームヘッダで送信されるものと同じであり、それにより、セル内の全ての端末を適切に同期化することができるとともに、セル内の全ての端末が同じ時間−周波数リソース割り当て情報を受けることができる。基地局フレームおよび中継局フレームのフレームヘッダが一致しない場合には、基地局のカバレッジエリア内および中継局のカバレッジエリア内の両方に位置されるセルが干渉される。更に、中継ダウンリンクサブフレームで使用される時間−周波数リソースは、基地局の対応する部分に対して直交する。端末は、フレームヘッダから取得される情報にしたがってそれ自体に属するデータを受信するとともに、中継局の存在に全く気付かない。
【００３８】
中継局は、基地局から中継局へ送信される制御コマンドと基地局が端末へ転送するように中継局に命じるダウンリンクデータとを含むデータを、ダウンリンク中継サブフレームで基地局から受ける。中継局の基地局コマンド抽出ユニットは、受信されたデータからコマンドを抽出し、また、ダウンリンクデータバッファリングユニットは、端末へ転送されるべきデータをダウンリンクデータバッファ内に記憶する。中継局は、端末から受信された全てのデータをアップリンク中継サブフレームで基地局へ転送する。この場合、データは、中継局のアップリンクデータバッファから抽出される。また、中継局から基地局へ送信される何らかの制御情報は、アップリンク中継サブフレームで送信されても良い。
【００３９】
送信された物理フレームにおいて、各バーストは、受信側のチャンネル推定のためのパイロットを送信しなければならない。ダウンリンク端末チャンネルにおいては、データが基地局から送信されても良く或いは中継局から送信されても良いため、パイロットの送信が各トラフィックバーストにおいて制限されなければならない。例えば、図８において、ダウンリンクトラフィックバースト１の時間−周波数リソースに対応するチャンネルを推定するためのパイロットは、中継局ではなく基地局によってのみ送信することができ、同様に、中継ダウンリンクトラフィックバースト１の時間−周波数リソースに対応するチャンネルを推定するためのパイロットは、基地局ではなく中継局によってのみ送信することができる。同様のケースが、異なる中継局によって送信されても良いアップリンク中継サブフレームに起こる。アップリンク中継バースト１が中継局１によって送信されると仮定すると、このバーストの時間−周波数リソースに対応するチャンネルを推定するためのパイロットは、他の中継局ではなく中継局１によってのみ送信することができる。
【００４０】
本発明の他の実施形態では、図８において、アップリンク端末サブフレームおよびアップリンク中継サブフレームの時間順序が置き換えられても良い。置き換えた後、１フレームの期間中、中継局は、４回にわたって送信状態と受信状態との間の切り換えを行なう必要があるが、図８における方式によれば、中継局は、２回にわたって切り換えを行なうだけで済む。
【００４１】
本発明の他の実施形態では、図８および図９に示される態様に加えて、アクセスサブチャンネルによって図１０に示される態様が採用されても良い。この場合、（ａ）は基地局フレームであり、（ｂ）は中継局フレームである。同様に、アクセスサブチャンネルが他の位置に配置されても良い。
【００４２】
本発明の他の実施形態では、図８に示される基地局フレームにおいて、中継フレームヘッダは、特に中継局と基地局との間の同期化のためのトレーニングシーケンスを含み、それにより、中継局と基地局との間のより良い同期化を達成できるようになっていても良い。
【００４３】
本発明の他の実施形態において、ダウンリンク中継サブフレームのフレームヘッダは、ＯＦＤＭＡシンボル全体を占めず、図１１に示されるようにＯＦＤＭＡシンボルの一部を占めても良い。この場合、（ａ）は基地局フレームであり、（ｂ）は中継局フレームである。
【００４４】
本発明の他の実施形態では、ダウンリンク端末サブフレームのトラフィックバーストが図１２に示されるように配置されても良い。この場合、（ａ）は基地局フレームであり、（ｂ）は中継局フレームである。すなわち、送信側の場合、その時間−周波数リソースが時間に関して割り当てられる。例えば、基地局は、基地局のエリア内でしか送信することができず、また、中継局１は、中継局１のエリア内でしか送信することができない。図１１は中継局が１つだけ存在する場合を示しており、それは、複数の中継局が存在する場合と類似している。ここでは、ダウンリンク端末サブフレームの場合だけについて説明されており、それはアップリンク端末サブフレームの場合に類似しているため、その説明を省略する。
【００４５】
本発明の他の実施形態では、図８および図９に示されるフレーム構造の方式に加えて、図１３および図１４に示される方式が採用されても良い。この場合、図１３は基地局フレームを示しており、図１４は中継局フレームを示している。この実施形態において、基地局から中継局へ送信されるダウンリンクデータは、基地局ダウンリンクサブフレームの時間−周波数リソースの一部を占めている。ここで、基地局または中継局から端末へ送信されるダウンリンクにおける時間−周波数リソースは、ダウンリンク端末サブフレームではなくダウンリンク端末領域と称され、基地局から中継局へ送信されるダウンリンクにおける時間−周波数リソースはダウンリンク中継領域と称され、端末から中継局または基地局へ送信されるアップリンクにおける時間−周波数リソースはアップリンク端末領域と称され、また、中継局から基地局へ送信されるアップリンクにおける時間−周波数リソースはアップリンク中継領域と称される。ダウンリンク端末領域には、図８におけるフレームヘッダに類似する中継フレームヘッダは存在せず、また、当該領域におけるトラフィックバーストの時間−周波数リソースの割り当て情報は、フレーム全体のフレームヘッダによって与えられる。アップリンク中継領域におけるトラフィックバーストの時間−周波数リソースの割り当て情報もフレーム全体のフレームヘッダによって与えられる。
【００４６】
本発明の他の実施形態では、本発明の一実施形態における中継局の場合、前記フレーム構造方式に加えて、図１５および図１６に示されるフレーム構造方式が採用されても良い。この場合、図１５は基地局フレームを示しており、図１６は中継局フレームを示している。この方式では、基地局が高出力でフレームヘッダおよびブロードキャスト情報を送信し、中継局は送信しない。ダウンリンクデータが端末へ転送される場合、基地局は、最初に、ダウンリンクデータをダウンリンク中継サブフレームで中継局へ送信し、ダウンリンク中継サブフレームのフレームヘッダは、時間−周波数リソースが端末のためにダウンリンク端末サブフレームで割り当てられることを端末に知らせるために使用される。中継局は、その後のダウンリンク端末サブフレームの対応する時間−周波数リソースでデータを端末へ転送する。それはアップリンク信号の転送に関して類似している。このフレーム構造の第１の利点は、基地局が次のフレームのブロードキャスト情報を各フレームで中継局へ送信することが避けられ、それにより、エアインタフェースの消費が省かれるという点である。第２の利点は、基地局が、前のフレームでリソースを割り当てる必要がなく、より新しいチャンネル情報を有するリソースを割り当てることができ、したがって、急速に変化するチャンネルに適合するという点である。
【００４７】
本発明の他の実施形態において、それは、図１７に示されるように一般化されたフレーム構造を示している。この場合、（ａ）は基地局フレームであり、（ｂ）はタイプＩ中継局フレームであり、（ｃ）はタイプII中継局フレームである。
【００４８】
基地局ダウンリンクサブフレームは、２つのタイプの中継局をサポートするため、２つのセクション（区間１および区間２）へ時間的に分けられる。タイプＩ中継局はフレームヘッダを送信せず、タイプII中継局はフレームヘッダを送信する。区間１と区間２との間
の境界は、固定されていても良く、あるいは、時間に伴って動的に変化できても良い。しかしながら、各変化前に、基地局は、変化が起こることをタイプII中継局に知らせる必要
がある。さもなければ、タイプII中継局は、それに対して送信される中継フレームヘッダ
をどこから受けるのかを知ることができない。
【００４９】
基地局によってタイプＩ中継局に対して与えられるデータおよび中継フレームヘッダ（図１７の中継フレームヘッダ１）は、ダウンリンクサブフレームの区間１で送信され、また、基地局によってタイプII中継局に対して与えられるデータおよび中継フレームヘッダ
（図１７の中継フレームヘッダ２）は、ダウンリンクサブフレームの区間２で送信される。中継フレームヘッダ１は、タイプＩ中継局のために基地局によって割り当てられる時間−周波数リソースを規定し、また、中継フレームヘッダ２は、タイプII中継局のために基
地局によって割り当てられる時間−周波数リソース情報を規定する。タイプＩ中継局は、それによって管理される端末に対して区間２でダウンリンクデータを送信し、また、タイプII中継局は、それによって管理される端末に対して区間１でダウンリンクデータを送信
する。
【００５０】
図１７には、基地局のダウンリンクトラフィックバーストと中継局のダウンリンクトラフィックバーストとの間の時間−周波数リソース割り当ての関係が示されていない。しかしながら、タイプＩ中継局またはタイプII中継局にかかわらず、それらがダウンリンクト
ラフィックバーストを端末へ送信する場合には、時間−周波数リソースの直交性を確保する必要がある。時間−周波数リソースが直交性を有していない場合には、基地局から送信されるデータと中継局から送信されるデータとの間の干渉が許容範囲内に入るようにしなければならない。
【００５１】
図１８は、本発明の一実施形態に係る中継局とのモバイル通信を実施するためのシステムの構造図である。当該システムにおいて、中継局は、基地局と端末との間に配置されており、基地局と端末との間でデータを転送するために使用される。システムは、中継局を介して基地局へデータを送信し且つ基地局から中継局を介してデータを受信するように構成された端末と、端末と基地局との間でデータを転送するように構成された中継局と、中継局を介して端末へデータを送信し且つ端末から中継局を介してデータを受信するように構成された基地局とを含んでいる。
【００５２】
このシステムの中継局は、オリジナル信号を増幅して転送するだけの従来の中継局の機能を拡張する。また、このシステムの中継局は、オリジナル信号を再デコードし且つ再エンコードすることができ、したがって、基地局のカバレッジエリアの外側の端末にデータ転送サービスを提供することができる。送信器、受信器、送受切替器、および、アンテナに加えて、中継局は、端末から基地局へ送信されて受信局によって受信されたデータを処理するとともに処理されたデータを送信器へ送信するように構成されたアップリンクデータ処理モジュールと、端末から基地局へ送信されて受信器によって受信されたデータを処理するとともに処理されたデータを送信器へ送信するように構成されたダウンリンクデータ処理モジュールと、送信器、受信器、アップリンクデータ処理モジュール、および、ダウンリンクデータ処理モジュールを制御するように構成された制御プロセッサと、を更に含んでいる。
【００５３】
このシステムでは、基地局と端末との間に中継局が加えられているため、データ転送のための従来のフレーム構造を変える必要があり、また、基地局フレーム構造および中継局フレーム構造が適用される。基地局フレームは、基地局ダウンリンクサブフレームと基地局アップリンクサブフレームとを含んでいる。基地局ダウンリンクサブフレームは、ダウンリンク端末サブフレームとダウンリンク中継サブフレームとを含んでいる。基地局アップリンクサブフレームは、アップリンク端末サブフレームとアップリンク中継サブフレームとを含んでいる。中継局フレームは、ダウンリンク端末サブフレームと、ダウンリンク中継サブフレームと、アップリンク端末サブフレームと、アップリンク中継サブフレームとを含んでいる。特定のフレーム構造および機能は先の説明と同様である。
【００５４】
また、中継局および基地局は、同じ時間−周波数リソースを直交多重化する。各中継局は基地局との１つ以上の接続を管理し、各接続は接続識別子によって区別される。接続識別子は基地局によって集権化されて割り当てられ、また、接続識別子とそれらの占められた時間−周波数リソースとの間の対応する関係は、基地局のカバレッジエリア内の端末へ送信される。端末は、対応する時間−周波数リソースからデータを抽出する。
【図面の簡単な説明】
【００５５】
【図１】従来のＷｉＭＡＸシステムにおける時分割デュプレックスＯＦＤＭＡモード下の基地局フレームの構造図である。
【図２】従来のＷｉＭＡＸシステムにおける時分割デュプレックスＯＦＤＭＡモード下の端末フレームの構造図である。
【図３】本発明の一実施形態に係る中継局の概略構造図である。
【図４】本発明に係る基地局によって維持されるバインディングテーブルの概略構造図である。
【図５】本発明の一実施形態に係る中継局によって中継機能をイネーブルにするフローチャートである。
【図６】本発明の一実施形態に係る、基地局から端末へ中継局によってデータを転送するフローチャートである。
【図７】本発明の一実施形態に係る、端末から基地局へ中継局によってデータを転送するフローチャートである。
【図８】本発明の第１の実施形態に係る基地局フレームの構造図である。
【図９】本発明の第１の実施形態に係る中継局フレームの構造図である。
【図１０】本発明の第３の実施形態に係る基地局フレームおよび中継局フレームの構造図である。
【図１１】本発明の第５の実施形態に係る基地局フレームおよび中継局フレームの構造図である。
【図１２】本発明の第６の実施形態に係る基地局フレームおよび中継局フレームの構造図である。
【図１３】本発明の第７の実施形態に係る基地局フレームの構造図である。
【図１４】本発明の第７の実施形態に係る中継局フレームの構造図である。
【図１５】本発明の第８の実施形態に係る基地局フレームの構造図である。
【図１６】本発明の第８の実施形態に係る中継局フレームの構造図である。
【図１７】本発明の第９の実施形態に係る基地局フレームおよび中継局フレームの構造図である。
【図１８】本発明の一実施形態に係る中継局とのモバイル通信を実施するためのシステムの構造図である。
【図１】
2009535868.tif 000003
【図２】
2009535868.tif 000004
【図３】
2009535868.tif 000005
【図４】
2009535868.tif 000006
【図５】
2009535868.tif 000007
【図６】
2009535868.tif 000008
【図７】
2009535868.tif 000009
【図８】
2009535868.tif 000010
【図９】
2009535868.tif 000011
【図１０】
2009535868.tif 000012
【図１１】
2009535868.tif 000013
【図１２】
2009535868.tif 000014
【図１３】
2009535868.tif 000015
【図１４】
2009535868.tif 000016
【図１５】
2009535868.tif 000017
【図１６】
2009535868.tif 000018
【図１７】
2009535868.tif 000019
【図１８】
2009535868.tif 000020
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
基地局と端末との間に中継局を配置し、
基地局フレーム構造と中継局フレーム構造とを設定する、
モバイル通信を実施する方法であって、
ネットワークにアクセスした後、前記中継局によって中継機能をイネーブルにし、
前記基地局フレーム構造および中継局フレーム構造により、前記中継局によって前記端末と前記基地局との間でデータを転送する、
ことを更に含む方法。
【請求項２】
基地局フレーム構造と中継局フレーム構造とを設定することは、
基地局フレームを設定し、
中継局フレームを設定する、
ことを含み、
基地局フレームを設定することは、基地局ダウンリンクサブフレームと基地局アップリンクサブフレームとを設定することを含み、
前記基地局ダウンリンクサブフレームがダウンリンク端末サブフレームとダウンリンク中継サブフレームとを備え、
前記基地局アップリンクサブフレームがアップリンク端末サブフレームとアップリンク中継サブフレームとを備え、
中継局フレームを設定することは、ダウンリンク端末サブフレームと、ダウンリンク中継サブフレームと、アップリンク端末サブフレームと、アップリンク中継サブフレームとを設定することを含む、
請求項１に記載の方法。
【請求項３】
前記基地局アップリンクサブフレームにおける前記アップリンク端末サブフレームは、時間的に前記アップリンク中継サブフレームの前または後に配置される請求項２に記載の方法。
【請求項４】
前記基地局ダウンリンクサブフレームにおける前記ダウンリンク中継サブフレームのフレームヘッダは、前記中継局と前記基地局との間の同期化のためのプリアンブルシーケンスを備え、または、
前記基地局ダウンリンクサブフレームにおける前記ダウンリンク中継サブフレームのフレームヘッダは、プリアンブルシーケンスを備えていない、
請求項２に記載の方法。
【請求項５】
前記ダウンリンク中継サブフレームが周波数帯域の全部または一部を占める請求項２に記載の方法。
【請求項６】
異なる送信側において、前記ダウンリンク端末サブフレームにおけるトラフィックバーストは時間的に時差がある請求項２に記載の方法。
【請求項７】
前記基地局ダウンリンクサブフレームは、フレームヘッダを送信する中継局およびフレームヘッダを送信しない中継局のそれぞれに対してデータを送信するため、時間的に２つの区間に分けられる請求項２に記載の方法。
【請求項８】
前記中継局および前記基地局が同じ時間−周波数リソースを直交多重化し、各中継局が１つ以上の接続を管理し、各接続が接続識別子によって区別される請求項１に記載の方法。
【請求項９】
１つの接続が１つ以上の中継局によって管理され、
各中継局は、中継局によって管理される接続のための接続識別子バインディングテーブルを維持するとともに、維持された接続識別子バインディングテーブルにしたがって中継局によって管理される接続に対応するデータを転送する、
請求項８に記載の方法。
【請求項１０】
中継局によって中継機能をイネーブルにすることは、
中継局によってネットワークにアクセスするとともに、端末として動作し、端末のフレーム構造と同じフレーム構造が適用され
基地局への中継機能をイネーブルにするように中継局によって要求し、
前記要求が基地局によって認められるかどうかを中継局によって決定する、
ことを含み、
前記要求が基地局によって認められる場合には、基地局へ応答を戻して、中継機構をイネーブルにし、
前記要求が基地局によって認められない場合には、端末として動作する前記中継局によって前記ネットワークにアクセスし、前記端末と同じフレーム構造が適用される、
請求項１に記載の方法。
【請求項１１】
前記基地局フレーム構造および前記中継局フレーム構造により、前記中継局によって前記端末と前記基地局との間でデータを転送することは、
前記基地局からのデータをダウンリンク中継サブフレームを介して中継局の受信器によって受信するとともに、受信されたデータをデコードして、基地局から中継局へ送信される制御コマンドと基地局から中継局を介して端末へ送信されるダウンリンクデータとを備えるオリジナルデータを取得し、
取得された前記オリジナルデータから制御コマンドを中継局によって抽出するとともに、取得された前記オリジナルデータ内に含まれるダウンリンクデータを中継局によって記憶し、
ダウンリンクデータを中継局によってエンコードするとともに、エンコードされたダウンリンクデータを中継局の送信器によりダウンリンク端末サブフレームで端末へ送信する、
ことを含む請求項１に記載の方法。
【請求項１２】
前記基地局フレーム構造および前記中継局フレーム構造により、前記中継局によって前記端末と前記基地局との間でデータを転送することは、
前記端末からのデータをアップリンク端末サブフレームを介して中継局の受信器によって受信するとともに、受信されたデータをデコードして、端末から基地局へ送信されるアップリンクデータを備えるオリジナルデータを取得し、
取得された前記オリジナルデータ内に含まれるアップリンクデータを中継局によって記憶し、
アップリンクデータを中継局によってエンコードするとともに、エンコードされたアップリンクデータを中継局の送信器によりアップリンク中継サブフレームで基地局へ送信する、
ことを含む請求項１に記載の方法。
【請求項１３】
送信器と、受信器と、送受切替器と、アンテナと、を備え、送受切替器がアンテナと接続され、送信器および受信器が送受切替器と接続される、モバイル通信を実施する装置であって、
端末から基地局へ送信されて前記受信器によって受信されるデータを処理するとともに、処理されたデータを前記送信器へ送信するように構成されたアップリンクデータ処理モジュールと、
前記基地局から前記端末へ送信されて前記受信器によって受信されたデータを処理するとともに、処理されたデータを前記送信器へ送信するように構成され、前記送信器および前記受信器を前記アップリンクデータ処理モジュールと時分割態様で共有するダウンリンクデータ処理モジュールと、
前記送信器、前記受信器、前記アップリンクデータ処理モジュール、前記ダウンリンクデータ処理モジュールを制御するように構成された制御プロセッサと、
を更に備える装置。
【請求項１４】
前記アップリンクデータ処理モジュールは、
前記制御プロセッサの制御下で、前記端末から前記基地局へ送信されたベースバンド信号を復調し、デシンボルマッピングし、デインターリービングし、および、チャンネルデコーディングすることによって、エンコードされていないオリジナル情報データを取得するように構成されたアップリンクデコーディングユニットと、
前記端末から送信され且つ前記アップリンクデコーディングユニットによって処理されるオリジナル情報データをバッファリングするように構成されたアップリンクデータバッファリングユニットと、
前記制御プロセッサの制御下で、前記端末から送信され且つ前記アップリンクデコーディングユニットによって処理されるオリジナル情報データの信号品質を測定するように構成されたアップリンク品質測定ユニットと、
前記制御プロセッサの制御下で、前記アップリンクデータバッファリングユニットにおけるオリジナル情報データをチャンネルエンコードし、インタリーブし、シンボルマッピングし、および、変調するように構成されたアップリンクエンコーディングユニットと
を更に備える請求項１３に記載の装置。
【請求項１５】
前記ダウンリンクデータ処理モジュールは、
前記制御プロセッサの制御下で、前記基地局から前記端末へ送信されたベースバンド信号を復調し、デシンボルマッピングし、デインターリービングし、および、チャンネルデコーディングすることによって、エンコードされていないオリジナル情報データを取得するように構成されたダウンリンクデコーディングユニットと、
前記ダウンリンクデコーディングユニットによって処理されるオリジナル情報データをバッファリングするように構成されたダウンリンクデータバッファリングユニットと、
前記ダウンリンクデコーディングユニットによって処理されたオリジナル情報データから基地局コマンドを抽出するとともに、当該コマンドを前記制御プロセッサへ送信するように構成された基地局コマンド抽出ユニットと、
前記制御プロセッサの制御下で、前記ダウンリンクデータバッファリングユニットにおけるオリジナルデータ情報をチャンネルエンコードし、インタリーブし、シンボルマッピングし、および、変調するように構成されたダウンリンクエンコーディングユニットと、
を更に備える請求項１３に記載の装置。
【請求項１６】
モバイル通信を実施するシステムであって、
中継局を介して基地局へデータを送信するとともに、基地局から中継局を介してデータを受信するように構成された端末と、
前記端末と前記基地局との間でデータを転送するように構成された中継局と、
前記中継局を介して前記端末へデータを送信するとともに、前記端末から前記中継局を介してデータを受信するように構成された基地局と、
を備えるシステム。
【請求項１７】
前記中継局は、送信器と、受信器と、送受切替器と、アンテナと、を備え、
前記中継局は、アップリンクデータ処理モジュールと、ダウンリンクデータ処理モジュールと、制御プロセッサと、を更に備える、
請求項１６に記載のシステム。
【請求項１８】
前記基地局が基地局フレーム構造のデータを中継局へ送信し、
前記中継局が中継局フレーム構造のデータを前記基地局および前記端末へ送信する、
請求項１６に記載のシステム。
【請求項１９】
前記中継局および前記基地局が同じ時間−周波数リソースを直交多重化し、
１つの中継局が１つ以上の接続を管理し、
各接続が接続識別子によって区別される、
請求項１６に記載のシステム。
【手続補正２】
【補正対象書類名】明細書
【補正対象項目名】０００５
【補正方法】変更
【補正の内容】
【０００５】
本発明は、モバイル通信を実施する装置であって、基地局のカバレッジエリアを広げてシステムのネットワーキングにおけるコストを低減する装置を提供する。
【手続補正３】
【補正対象書類名】明細書
【補正対象項目名】００１１
【補正方法】削除
【補正の内容】
【手続補正４】
【補正対象書類名】明細書
【補正対象項目名】００３４
【補正方法】変更
【補正の内容】
【００３４】
本発明の一実施形態に係る中継局に起因して、現在の基地局フレーム構造を修正する必要があるとともに、中継局フレーム構造を規定する必要がある。特定の基地局フレーム構造および中継局フレーム構造が異なる構成を成していても良く、これについては、実施形態および図面を参照して以下で詳しく説明する。
本発明の実施形態で提供される装置および方法によれば、中継局をワイヤレス通信システムに導入し、現在のプロトコルの基地局フレーム構造を変更し、中継サブフレーム構造を設計することにより、基地局のカバレッジエリア内の端末の通信速度が高められるとともに、基地局のカバレッジエリアの外側の端末にもサービスを提供することができ、これにより、基地局のカバレッジエリアが大きく拡張されるとともに、ネットワーキングの早い段階で基地局の数が減少され、スペクトル利用が向上される。また、中継局に近いが基地局から遠い端末において、中継局を介した送信は、端末の送受信電力を減少させることができ、したがって、バッテリ消費が節約され、端末のバッテリの寿命が効果的に延びる。
【国際調査報告】
2009535868.tif 000021
2009535868.tif 000022
2009535868.tif 000023
2009535868.tif 000024